(57)【要約】【課題】利便性を向上させたユーザ端末、メッセージ送信方法及びユーザ端末用プログラムを提供する。【解決手段】端末同士の通話及びメッセージ送信が可能なユーザ端末１００ａは、通話接続を行うために相手先の電話番号に発信し、発信により通話接続の相手先に接続できなかったことを検知し、検知をした際に、端末が相手先の留守番電話システム２００への接続前に回線を切断し、発信者から音声メッセージの入力を受け付け、入力を受け付けた音声メッセージをテキスト変換したテキストメッセージを生成し、相手先の電話番号に対応する相手先のメッセージアドレスを抽出し、生成されたテキストメッセージを、抽出されたメッセージアドレスに送信する。【選択図】図１
2017069607.tif 000002
【特許請求の範囲】
【請求項１】
端末同士の通話及びメッセージ送信が可能なユーザ端末であって、
通話接続を行うために相手先の電話番号に発信をする音声発信手段と、
前記発信により通話接続の相手先に接続できなかったことを検知する検知手段と、
前記検知をした際に、前記端末が相手先の留守番電話システムへの接続前に回線を切断する切断手段と、
発信者から音声メッセージの入力を受け付ける音声メッセージ入力受付手段と、
入力を受け付けた前記音声メッセージをテキスト変換したテキストメッセージを生成するテキスト変換手段と、
前記相手先の電話番号に対応する当該相手先のメッセージアドレスを抽出するメッセージアドレス抽出手段と、
生成された前記テキストメッセージを、抽出された前記メッセージアドレスに送信するメッセージ送信手段と、を備えることを特徴とするユーザ端末。
【請求項２】
前記検知手段は、前記相手先に接続できなかったことを、前記留守番電話システムへの接続により検知する、ことを特徴とする請求項１に記載のユーザ端末。
【請求項３】
前記検知手段は、前記相手先に接続できなかったことを、前記留守番電話システムが出力する音声を音声認識することにより検知する、ことを特徴とする請求項１又は２に記載のユーザ端末。
【請求項４】
端末同士の通話及びメッセージ送信が可能なメッセージ送信方法であって、
通話接続を行うために相手先の電話番号に発信をするステップと、
前記発信により通話接続の相手先に接続できなかったことを検知するステップと、
前記検知をした際に、前記端末が相手先の留守番電話システムへの接続前に回線を切断するステップと、
発信者から音声メッセージの入力を受け付けるステップと、
入力を受け付けた前記音声メッセージをテキスト変換したテキストメッセージを生成するステップと、
前記相手先の電話番号に対応する当該相手先のメッセージアドレスを抽出するステップと、
生成された前記テキストメッセージを、抽出された前記メッセージアドレスに送信するステップと、を備えることを特徴とするメッセージ送信方法。
【請求項５】
端末同士の通話及びメッセージ送信が可能なユーザ端末に、
通話接続を行うために相手先の電話番号に発信をするステップ、
前記発信により通話接続の相手先に接続できなかったことを検知するステップ、
前記検知をした際に、前記端末が相手先の留守番電話システムへの接続前に回線を切断するステップ、
発信者から音声メッセージの入力を受け付けるステップ、
入力を受け付けた前記音声メッセージをテキスト変換したテキストメッセージを生成するステップ、
前記相手先の電話番号に対応する当該相手先のメッセージアドレスを抽出するステップ、
生成された前記テキストメッセージを、抽出された前記メッセージアドレスに送信するステップ、を実行させるためのユーザ端末用プログラム。
【発明の詳細な説明】
【技術分野】
【０００１】
本発明は、端末同士の通話及びメッセージ送信が可能なユーザ端末、メッセージ送信方法及びユーザ端末用プログラムに関する。
【背景技術】
【０００２】
従来、携帯電話等において、発信元ユーザ端末からの発呼に対して、着信先ユーザ端末が応答しない場合、留守番電話システムに接続し、音声メッセージを保存することが行われている。
【０００３】
このような音声メッセージの保存において、留守番電話システムに音声メッセージが保存されている旨の通知を送信する構成が知られている。
【０００４】
例えば、特許文献１では、留守番電話システム１に音声メッセージが保存されていることを示すテキストメッセージをユーザ端末に送信し、ユーザは、留守番電話システム１に接続することにより、保存された音声メッセージを確認する構成が開示されている。
【先行技術文献】
【特許文献】
【０００５】
【特許文献１】特開２０１０−１４１７５４号公報
【発明の概要】
【発明が解決しようとする課題】
【０００６】
しかしながら、特許文献１の構成では、留守番電システムの通知を閲覧したユーザが、留守番電話システムに接続することで留守番電話システムに保存された音声メッセージの内容を知ることができるものであるため、ユーザは、音声メッセージの内容を知るために、留守番電話システムに接続する必要があり、利便性が低かった。
【０００７】
そこで、本発明は、ユーザが留守番電話に接続する必要なしに、着信先ユーザ端末側の非応答時の利便性を向上させる点に着目した。
【０００８】
本発明の目的は、利便性を向上させたユーザ端末、メッセージ送信方法及びユーザ端末用プログラムを提供することを目的とする。
【課題を解決するための手段】
【０００９】
本発明では、以下のような解決手段を提供する。
【００１０】
第１の特徴に係る発明は、端末同士の通話及びメッセージ送信が可能なユーザ端末であって、
通話接続を行うために相手先の電話番号に発信をする音声発信手段と、
前記発信により通話接続の相手先に接続できなかったことを検知する検知手段と、
前記検知をした際に、前記端末が相手先の留守番電話システムへの接続前に回線を切断する切断手段と、
発信者から音声メッセージの入力を受け付ける音声メッセージ入力受付手段と、
入力を受け付けた前記音声メッセージをテキスト変換したテキストメッセージを生成するテキスト変換手段と、
前記相手先の電話番号に対応する当該相手先のメッセージアドレスを抽出するメッセージアドレス抽出手段と、
生成された前記テキストメッセージを、抽出された前記メッセージアドレスに送信するメッセージ送信手段と、を備えることを特徴とするユーザ端末を提供する。
【００１１】
第１の特徴に係る発明によれば、端末同士の通話及びメッセージ送信が可能なユーザ端末は、通話接続を行うために相手先の電話番号に発信をし、前記発信により通話接続の相手先に接続できなかったことを検知し、前記検知をした際に、前記端末が相手先の留守番電話システムへの接続前に回線を切断し、発信者から音声メッセージの入力を受け付け、入力を受け付けた前記音声メッセージをテキスト変換したテキストメッセージを生成し、前記相手先の電話番号に対応する当該相手先のメッセージアドレスを抽出し、生成された前記テキストメッセージを、抽出された前記メッセージアドレスに送信する。
【００１２】
ここで、第１の特徴に係る発明は、ユーザ端末のカテゴリであるが、メッセージ送信方法及びユーザ端末用プログラム等の他のカテゴリにおいても、そのカテゴリに応じた同様の作用・効果を発揮する。
【００１３】
第２の特徴に係る発明は、前記検知手段が、前記相手先に接続できなかったことを、前記留守番電話システムへの接続により検知する、ことを特徴とする第１の特徴に係る発明であるユーザ端末を提供する。
【００１４】
第２の特徴に係る発明によれば、第１の特徴に係る発明であるユーザ端末は、前記相手先に接続できなかったことを、前記留守番電話システムへの接続により検知する。
【００１５】
第３の特徴に係る発明は、前記検知手段が、前記相手先に接続できなかったことを、前記留守番電話システムが出力する音声を音声認識することにより検知する、ことを特徴とする第１又は第２のいずれかの特徴に係る発明であるユーザ端末を提供する。
【００１６】
第３の特徴に係る発明によれば、第１又は第２のいずれかの特徴に係る発明であるユーザ端末は、前記相手先に接続できなかったことを、前記留守番電話システムが出力する音声を音声認識することにより検知する。
【００１７】
第４の特徴に係る発明は、端末同士の通話及びメッセージ送信が可能なメッセージ送信方法であって、
通話接続を行うために相手先の電話番号に発信をするステップと、
前記発信により通話接続の相手先に接続できなかったことを検知するステップと、
前記検知をした際に、前記端末が相手先の留守番電話システムへの接続前に回線を切断するステップと、
発信者から音声メッセージの入力を受け付けるステップと、
入力を受け付けた前記音声メッセージをテキスト変換したテキストメッセージを生成するステップと、
前記相手先の電話番号に対応する当該相手先のメッセージアドレスを抽出するステップと、
生成された前記テキストメッセージを、抽出された前記メッセージアドレスに送信するステップと、を備えることを特徴とするメッセージ送信方法を提供する。
【００１８】
第５の特徴に係る発明は、端末同士の通話及びメッセージ送信が可能なユーザ端末に、
通話接続を行うために相手先の電話番号に発信をするステップ、
前記発信により通話接続の相手先に接続できなかったことを検知するステップ、
前記検知をした際に、前記端末が相手先の留守番電話システムへの接続前に回線を切断するステップ、
発信者から音声メッセージの入力を受け付けるステップ、
入力を受け付けた前記音声メッセージをテキスト変換したテキストメッセージを生成するステップ、
前記相手先の電話番号に対応する当該相手先のメッセージアドレスを抽出するステップ、
生成された前記テキストメッセージを、抽出された前記メッセージアドレスに送信するステップ、を実行させるためのユーザ端末用プログラムを提供する。
【発明の効果】
【００１９】
本発明によれば、利便性を向上させたユーザ端末、メッセージ送信方法及びユーザ端末用プログラムを提供することが可能となる。
【図面の簡単な説明】
【００２０】
【図１】図１は、メッセージ送信システム１の概念を示す概念図である。
【図２】図２は、メッセージ送信システム１の全体構成図である。
【図３】図３は、ユーザ端末１００の機能ブロック図である。
【図４】図４は、発信元ユーザ端末１００ａが実行するメッセージ送信処理のフローチャートである。
【図５】図５は、発信元ユーザ端末１００ａが表示する音声認識画面を示す図である。
【図６】図６は、着信先ユーザ端末１００ｂが表示するメッセージ表示画面を示す図である。
【発明を実施するための形態】
【００２１】
以下、本発明を実施するための最良の形態について図を参照しながら説明する。なお、これはあくまでも一例であって、本発明の技術的範囲はこれに限られるものではない。
【００２２】
［メッセージ送信システム１の概要］
本発明の概要について、図１に基づいて説明する。メッセージ送信システム１は、発信元ユーザ端末１００ａ、着信先ユーザ端末１００ｂ及び着信先ユーザ端末１００ｂの留守番電話システム２００から構成される。なお、本実施形態において、発信元ユーザ端末１００ａは、着信先ユーザ端末１００ｂに発呼するものとする。
【００２３】
発信元ユーザ端末１００ａと、着信先ユーザ端末１００ｂと、留守番電話システム２００とは、公衆回線網（第３世代通信網、第４世代通信網等）や電話回線網等を介して通信可能に接続される。また、留守番電話システム２００は、一般的な留守番電話システムであり、音声メッセージをサーバ等に保存し、ユーザからの要求に基づいて、音声メッセージを端末に出力する。
【００２４】
はじめに、発信元ユーザ端末１００ａは、着信先ユーザ端末１００ｂに発呼する（ステップＳ０１）。ステップＳ０１において、発信元ユーザ端末１００ａは、着信先ユーザ端末１００ｂの電話番号を直接入力あるいは、自身が記憶するアドレス帳等から着信先ユーザ端末１００ｂの電話番号を検索し、この電話番号に通話接続を行うための発呼を実行する。
【００２５】
発信元ユーザ端末１００ａは、着信先ユーザ端末１００ｂへの発呼において、着信先ユーザ端末１００ｂが設定した所定時間応答がなかった場合、留守番電話システム２００に接続される（ステップＳ０２）。
【００２６】
留守番電話システム２００は、接続された発信元ユーザ端末１００ａに所定の音声メッセージを出力する（ステップＳ０３）。ステップＳ０３において、留守番電話システム２００が出力する所定の音声メッセージとは、例えば、「こちらは留守番電話サービスです」である。
【００２７】
発信元ユーザ端末１００ａは、留守番電話システム２００に接続されたことを検知することにより、着信先ユーザ端末１００ｂに接続できなかったことを検知する。このとき、発信元ユーザ端末１００ａは、着信先ユーザ端末１００ｂに接続できなかったことを、留守番電話システム２００に接続されたことを検知することにより判断しても良い。また、発信元ユーザ端末１００ａは、着信先ユーザ端末１００ｂに接続できなかったことを、留守番電話システム２００が出力した音声メッセージを受信し、受信した音声メッセージを音声認識することにより、留守番電話システム２００に接続されたことを検知することにより判断しても良い。
【００２８】
発信元ユーザ端末１００ａは、着信先ユーザ端末１００ｂに接続できなかったことを検知した際に、留守番電話システム２００への接続前に着信先ユーザ端末１００ｂへの発呼を終了し、通信している回線を切断する（ステップＳ０４）。なお、ステップＳ０４において、留守番電話システム２００への接続前とは、発信元ユーザ端末１００ａのユーザが留守番電話システム２００へ音声メッセージを保存するよりも前の状態を意味する。
【００２９】
発信元ユーザ端末１００ａは、音声認識アプリケーションを起動し、音声メッセージの入力を受け付ける。発信元ユーザ端末１００ａは、受け付けた音声メッセージを音声認識し、この音声メッセージをテキスト変換したテキストメッセージを生成する（ステップＳ０５）。なお、ステップＳ０５において、発信元ユーザ端末１００ａは、常時音声認識アプリケーションを起動しておき、ステップＳ０４の終了時に、音声メッセージの入力を受け付けても良い。
【００３０】
発信元ユーザ端末１００ａは、アドレス帳アプリケーションを起動し、ステップＳ０１において発呼を行った着信先ユーザ端末１００ｂの電話番号に対応するメッセージアドレスを抽出する（ステップＳ０６）。
【００３１】
発信元ユーザ端末１００ａは、抽出したメッセージアドレスに、ステップＳ０５において抽出したテキストメッセージを着信先ユーザ端末１００ｂに送信する（ステップＳ０７）。
【００３２】
着信先ユーザ端末１００ｂは、発信元ユーザ端末１００ａが送信したメッセージを受信し、自身に表示する。
【００３３】
以上が、メッセージ送信システム１の概要である。
【００３４】
［メッセージ送信システム１のシステム概要］
図２は、本発明の好適な実施形態であるメッセージ送信システム１のシステム構成を示す図である。メッセージ送信システム１は、発信元ユーザ端末１００ａ，着信先ユーザ端末１００ｂ（以下、特に断りがない限りユーザ端末１００と称す。）、留守番電話システム２００、公衆回線網３（インターネット網や第３世代、第４世代通信網等や電話回線網）から構成される。
【００３５】
ユーザ端末１００は、後述の機能を備え、データ通信及び音声通話を実行可能な端末である。ユーザ端末１００は、家庭用又は業務用の電化製品である。発ユーザ端末１００は、例えば、携帯電話、携帯情報端末に加え、ネットブック端末、スレート端末、電子書籍端末、携帯型音楽プレーヤ等の情報家電である。
【００３６】
留守番電話システム２００は、一般的な留守番電話システムであり、端末からの音声メッセージをサーバ等に保存し、ユーザからの要求に基づいて、音声メッセージを端末に出力する。
【００３７】
［各機能の説明］
図３に基づいて、各装置の構成について説明する。
【００３８】
ユーザ端末１００は、制御部１１０として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２０として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスや音声通話を発呼するためのデバイス等を備える。
【００３９】
また、ユーザ端末１００は、記憶部１３０として、ハードディスクや半導体メモリ、記録媒体、メモリカード等によるデータのストレージ部を備える。記憶部１３０には、後述する電話番号と、メールアドレス等を紐付けたアドレス帳が含まれる。
【００４０】
また、ユーザ端末１００は、入出力部１４０として、制御部で制御したデータや画像を出力する表示部と、ユーザからの入力を受け付けるタッチパネルやキーボード、マウスといった入力部や、音声を出力するスピーカーや、音声を集音するマイク部といった出力部を備える。
【００４１】
ユーザ端末１００において、制御部１１０が所定のプログラムを読み込むことで、通信部１２０と協働して、発呼モジュール１６０、音声メッセージ受信モジュール１６１、メッセージ送信モジュール１６２、メッセージ受信モジュール１６３を実現する。また、ユーザ端末１００において、制御部１１０が所定のプログラムを読み込むことで、記憶部１３０と協働して、アプリケーションモジュール１７０を実現する。また、ユーザ端末１００において、制御部１１０が所定のプログラムが読み込むことで、入出力部１４０と協働して、入力受付モジュール１８０を実現する。
【００４２】
［メッセージ送信処理］
図４は、発信元ユーザ端末１００ａと、着信先ユーザ端末１００ｂとが実行するメッセージ送信処理のフローチャートである。上述した各装置のモジュールが実行する処理について、本処理に併せて説明する。
【００４３】
はじめに、発信元ユーザ端末１００ａの発呼モジュール１６０は、着信先ユーザ端末１００ｂに発呼する（ステップＳ１０）。ステップＳ１０において、発呼モジュール１６０は、発信元ユーザ端末１００ａの入力受付モジュール１８０が直接入力を受け付けた電話番号や、入力受付モジュール１８０が受け付けた自身が記憶するアドレス帳等から着信先ユーザ端末１００ｂの電話番号の検索入力により検索した電話番号に通話を発信する。
【００４４】
発信元ユーザ端末１００ａの発呼モジュール１６０は、着信先ユーザ端末１００ｂが発呼に対して応答したか否かを判断する（ステップＳ１１）。ステップＳ１１において、発呼モジュール１６０は、着信先ユーザ端末１００ｂが応答したか否かを判断することにより、通話接続の相手先に接続できたか否かを検知する。
【００４５】
ステップＳ１１において、発呼モジュール１６０は、着信先ユーザ端末１００ｂが発呼に対して応答したと判断した場合、すなわち、通話接続の相手先に接続できたことを検知した場合（ステップＳ１１  ＹＥＳ）、本処理を終了するとともに、発信元ユーザ端末１００ａは、着信先ユーザ端末１００ｂと通話を開始する。
【００４６】
一方、発信元ユーザ端末１００ａの発呼モジュール１６０は、着信先ユーザ端末１００ｂが発呼に対して応答していないと判断した場合、（ステップＳ１１  ＮＯ）、着信先ユーザ端末１００ｂの留守番電話システム２００に接続されたか否かを判断する（ステップＳ１２）。ステップＳ１２において、発呼モジュール１６０は、留守番電話システム２００に接続されていないと判断した場合（ステップＳ１２  ＮＯ）、ステップＳ１１の処理を再度実行する。ステップＳ１２において、発呼モジュール１６０は、留守番電話システム２００に接続されたか否かを、着信先ユーザ端末１００ｂが所定の時間発呼に対して応答していないか否か、留守番電話システム２００に接続したことを検知したか否か、留守番電話システム２００から出力された音声メッセージを受信し、音声認識したか否かに基づいて判断する。なお、発呼モジュール１６０は、他の方法により判断しても良い。
【００４７】
一方、ユーザ端末１００の発呼モジュール１６０は、留守番電話システム２００に接続されたと判断した場合、すなわち、通話接続の相手先に接続できなかったことを検知した場合（ステップＳ１２  ＹＥＳ）、ユーザ端末１００の音声メッセージ受信モジュール１６１は、留守番電話システム２００が出力する所定の音声メッセージを受信する（ステップＳ１３）。なお、ステップＳ１３において、音声メッセージ受信モジュール１６１が受信する所定の音声メッセージとは、例えば、「こちらは留守番電話サービスです」である。
【００４８】
発信元ユーザ端末１００ａの発呼モジュール１６０は、留守番電話システム２００への接続前に、着信先ユーザ端末１００ｂへの発呼を終了する（ステップＳ１４）。ステップＳ１４において、発呼モジュール１６０は、着信先ユーザ端末１００ｂへの電話回線を切断することにより発呼を終了する。なお、ステップＳ１４において、留守番電話システム２００への接続前とは、発信元ユーザ端末１００ａのユーザが、留守番電話システム２００へ音声メッセージを保存するよりも前を意味する。
【００４９】
発信元ユーザ端末１００ａのアプリケーションモジュール１７０は、音声認識アプリケーションを起動し、ユーザ端末１００ａの入力受付モジュール１８０は、図５に示す音声認識画面を表示し、音声メッセージの入力を受け付け、受け付けた音声メッセージをテキスト変換し、テキストメッセージを生成する（ステップＳ１５）。図５は、入力受付モジュール１８０が表示する音声認識画面を示す図である。図５において、入力受付モジュール１８０は、入力を受け付けた音声メッセージを音声認識した結果を表示し、テキスト変換したテキストメッセージを表示するメッセージ表示枠３００と、音声メッセージの入力を中止するメッセージ入力中止枠３１０と、入力した音声メッセージの修正するメッセージ修正枠３２０と、音声メッセージの入力を終了するメッセージ入力終了枠３３０と、を表示する。
【００５０】
発信元ユーザ端末１００ａの入力受付モジュール１８０は、メッセージ入力中止枠３１０の入力操作を受け付けた場合、音声メッセージの入力受付を中止し、本処理を終了する。また、入力受付モジュール１８０は、メッセージ修正枠３２０の入力操作を受け付けた場合、音声メッセージの修正を実行する。音声メッセージの修正とは、例えば、ユーザがメッセージ表示枠３００においてタップした箇所からの音声メッセージの再入力を受け付ける処理や、ユーザがメッセージ表示枠３００においてタップした箇所以降、あるいは箇所以前からの音声メッセージの再入力を受け付ける処理や、入力を受け付けた音声メッセージを全て削除し、再度音声メッセージの入力を受け付ける処理である。また、入力受付モジュール１８０は、メッセージ入力終了枠３３０の入力操作を受け付けた場合、音声メッセージの入力受付を終了する。なお、メッセージ入力中止枠３１０、メッセージ修正枠３２０、メッセージ入力終了枠３３０への入力操作は、音声により行われても良い。
【００５１】
なお、ステップＳ１５において、音声認識アプリケーションは常時起動していても良く、この場合、発信元ユーザ端末１００ａの入力受付モジュール１８０は、ステップＳ１４において発呼を終了したと同時に音声入力受付画面を表示すれば良い。あるいは、入力受付モジュール１８０は、音声入力受付画面を表示せずに、音声入力を受け付けても良い。
【００５２】
発信元ユーザ端末１００ａの入力受付モジュール１８０は、ユーザからの音声入力の受付が終了したか否かを判断する（ステップＳ１６）。ステップＳ１６において、入力受付モジュール１８０は、ユーザからの音声入力の受付が終了していないと判断した場合、すなわち、メッセージ入力終了枠３３０への入力操作が行われていないと判断した場合（ステップＳ１６  ＮＯ）、本処理を繰り返す。
【００５３】
一方、ステップＳ１６において、発信元ユーザ端末１００ａの入力受付モジュール１８０は、ユーザからの音声入力の受付が終了したと判断した場合、すなわち、メッセージ入力終了枠３３０への入力操作が行われたと判断した場合（ステップＳ１６  ＹＥＳ）、発信元ユーザ端末１００ａのアプリケーションモジュール１７０は、アドレス帳アプリケーションを起動し、ステップＳ１０において発呼を行った着信先ユーザ端末１００ｂの電話番号に対応するメッセージアドレスを抽出する（ステップＳ１７）。ステップＳ１７において、アプリケーションモジュール１７０は、アドレス帳アプリケーションを参照し、発呼を行った電話番号を検索する。アプリケーションモジュール１７０は、この電話番号にアドレス帳アプリケーションにおいて対応付けられたメッセージアドレスを取得する。
【００５４】
発信元ユーザ端末１００ａのアプリケーションモジュール１７０は、メッセージアプリケーションを起動し、メッセージを作成する（ステップＳ１８）。ステップＳ１８において、アプリケーションモジュール１７０は、メッセージの宛先として、ステップＳ１７において抽出したメッセージアドレスを設定し、メッセージの本文として、ステップＳ１５において生成したテキストメッセージを設定する。
【００５５】
ユーザ端末１００ａのメッセージ送信モジュール１６２は、ステップＳ１８において作成したメッセージを着信先ユーザ端末１００ｂに送信する（ステップＳ１９）。
【００５６】
なお、ステップＳ１７において、発信元ユーザ端末１００ａのアプリケーションモジュール１７０は、着信先ユーザ端末１００ｂの電話番号に対応するメッセージアドレスを抽出できなかった場合、メッセージアドレスの替わりに、他のものをメッセージの宛先として指定しても良い。例えば、メッセージアドレスの替わりに、電話番号によるＳＭＳ（Ｓｈｏｒｔ  Ｍｅｓｓａｇｅ  Ｓｅｒｖｉｃｅ）や、インターネット電話サービス等のＩＤを設定しても良い。この場合、アプリケーションモジュール１７０は、ステップＳ１９において、メッセージアドレスの替わりに設定した宛先や識別子宛にメッセージを送信するようにすれば良い。
【００５７】
着信先ユーザ端末１００ｂのメッセージ受信モジュールは、発信元ユーザ端末１００ａが送信したメッセージを受信する。着信先ユーザ端末１００ｂの入力受付モジュール１８０は、ユーザのメッセージの表示操作の入力を受け付け、図６に示すメッセージ表示画面を表示する。図６は、着信先ユーザ端末１００ｂのメッセージ送信モジュール１６３が表示するメッセージ表示画面を示す図である。図６において、入力受付モジュール１８０は、受信したメッセージを受信メッセージ表示枠３４０に表示する。
【００５８】
以上が、メッセージ送信処理である。
【００５９】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６０】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６１】
１  メッセージ送信システム、３  公衆回線網、１００  ユーザ端末、２００  留守番電話システム
【図１】
2017069607.tif 000003
【図２】
2017069607.tif 000004
【図３】
2017069607.tif 000005
【図４】
2017069607.tif 000006
【図５】
2017069607.tif 000007
【図６】
2017069607.tif 000008